(57)【特許請求の範囲】
【請求項１】
それぞれの自己の基本サービスエリア内の複数の移動端末の送受信信号を制御する複数の無線基地局と、この複数の前記無線基地局を制御しまた公衆網に接続した交換機に接続する複数の基地局制御装置とを有してなる無線通信システムにおいて、
前記無線基地局から予め定められた期間の予め定められた降雨量以上を検出したことの通知を受信した前記基地局制御装置は、前記無線基地局に対して前記基本サービスエリアの範囲を予め定められた縮小サービスエリアの範囲へ縮小すべく指示する指示信号を出力し、この指示信号を受信した前記無線基地局は自己の前記基本サービスリアを前記縮小サービスエリアへ縮小すべく自己の送受信手段の送受信出力レベルを前記縮小サービスエリアに対応する予め定められたレベルに制御する制御手段を備えることを特徴とする無線通信システム。
【請求項２】
予め定められた期間の降雨量を計量する降雨量計量手段と、この降雨量手段による計量の結果前記降雨量が予め設定された危険降雨量以上になったことを感知すると危険感知信号を出力する感知手段と、前記危険感知信号を受信すると前記基地局制御装置へ前記基本サービスエリアの危険を通報する通報手段と、前記通報の後に前記基地局制御装置からの前記基本サービスエリアから予め設定された縮小サービスエリアへ縮小すべき縮小指示信号を受信すると内蔵する受信増幅器及び送信増幅器のそれぞれの増幅度を前記縮小サービスエリアになるように予め定められた増幅度に低下させるべく制御する受信・送信増幅度制御手段とを有することを特徴とする請求項１記載の移動通信システムの無線基地局。
【請求項３】
前記感知手段は前記危険感知信号を出力した後に、前記降雨量計量手段による計量の結果前記降雨量が前記危険降雨量以下になったことを予め定められた期間継続していることを感知すると危険を解除したことを示す危険解除感知信号を出力し、前記通報手段は前記危険解除感知信号を受信すると前記基地局制御装置へ危険解除信号を通報し、前記受信・送信増幅器制御手段は前記解除信号の通報後の前記基地局制御装置から前記縮小サービスエリアから前記基本サービスエリアへ復旧させる復旧信号を受信すると前記受信増幅器及び送信増幅器のそれぞれの増幅度を前記基本サービスエリアをカバーするように復旧すべく制御することを特徴とする請求項２記載の移動通信システムの無線基地局。
【請求項４】
それぞれの自己の基本サービスエリア内の複数の移動端末の送受信信号を制御する複数の無線基地局と、この複数の前記無線基地局を制御しまた公衆網に接続した交換機に接続する複数の基地局制御装置とを有してなる無線通信システムにおいて、
前記無線基地局から予め定められたｎ（ｎ≧１の整数）期間の整数番号順に順次検出してｉ（１≦ｉ≦ｎ）期間目で予め定められたｉ番目降雨量以上を検出したことの通知を受信した前記基地局制御装置は、前記無線基地局に対して前記基本サービスエリアの範囲を前記検出された前記ｉ番目の降雨量に基づく予め定められたｉ番目縮小サービスエリアの範囲へ縮小すべく指示するｉ番目指示信号を出力し、このｉ番目指示信号を受信した前記無線基地局は自己の前記基本サービスエリアを前記ｉ番目縮小サービスエリアへ縮小すべく自己の送受信手段の送受信出力レベルを前記ｉ番目縮小サービスエリアに対応する予め定められたレベルに制御する制御手段を備えることを特徴とする無線通信システム。
【請求項５】
予め定められた前記ｎ期間のそれぞれの期間の降雨量を整数番号順に順次計量する降雨量計量手段と、この降雨量計量手段による前記ｉ番目の期間での計量の結果前記降雨量が予め設定されたｉ番目危険降雨量以上になったことを感知するとｉ番目危険感知信号を出力する感知手段と、前記ｉ番目危険感知信号を受信すると前記基地局制御装置へ前記基本サービスエリアのｉ番目の危険を通報する通報手段と、前記ｉ番目の通報の後に前記基地局制御装置からの前記基本サービスエリアから予め設定されたｉ番目の縮小サービスエリアへ縮小すべきｉ番目縮小指示信号を受信すると内蔵する受信増幅器及び送信増幅器のそれぞれの増幅度を前記ｉ番目縮小サービスエリアになるように予め定められた増幅度に低下させるべく制御する受信・送信増幅器制御手段とを有することを特徴とする請求項４記載の移動通信システムの無線基地局。
【請求項６】
前記感知手段は前記ｉ番目危険感知信号を出力した後に、前記降雨量計量手段による計量の結果前記降雨量が前記ｉ番目危険降雨量以下になったことを予め定められた期間継続していることを感知するとその危険を解除したことを示すｉ番目危険解除感知信号を出力し、前記通報手段は前記ｉ番目危険解除感知信号を受信すると前記基地局制御装置へｉ番目危険解除信号を情報し、前記受信・送信増幅器制御手段は前記危険解除の通報後の前記基地局制御装置から前記ｉ番目縮小サービスエリアからｉ−１番目の縮小サービスエリア又は前記基本サービスエリアへ復旧させるｉ番目復旧信号を受信すると前記受信増幅器及び送信増幅器のそれぞれの増幅度を前記ｉ−１番目縮小サービスエリア又は前記基本サービスエリアをカバーするように復旧すべく制御することを特徴とする請求項５記載の移動通信システムの無線基地局。
【請求項７】
前記基地局制御装置へ、前記予め定められた期間の予め定められた降雨量以上を検出したことの通知をする、又は、前記予め定められたｎ期間の整数番号順に順次検出しｉ期間目で予め定められたｉ番目降雨量以上を検出したことの通知をする前記無線基地局は、自己の前記基本サービスエリア内に駅を含む公共施設が設置されている地域を有し、且つ集中的な降雨時にトラフィックの増加が予想されていることを特徴とする請求項１、又は、４記載の無線通信システム。
【発明の詳細な説明】
【０００１】
【発明の属する技術分野】
本発明は移動通信システム及びその無線基地局に関し、特に降雨量に対応できる移動通信システム及びその無線基地局に関する。
【０００２】
【従来の技術】
この種の従来の技術について図面を参照して説明する。
【０００３】
図５は従来の移動通信システムの一例を示すブロック図である。
【０００４】
図５において、この従来例の移動通信システムは、特開平１０−６５５９６号公報の開示内容を示し、ＧＰＳアンテナ１２７とＧＰＳ受信部１２０でＧＰＳ電波を受信し、この信号は、受信信号に含まれる電波の到着時間差を検出する誤差検出部１２１に入力される。誤差検出部１２１の出力であるＧＰＳ電波の誤差分は、降雨の有無を検出する降雨センサ１２６の出力と共に送信出力制御部２２に入力される。送信出力制御部１２２は、降雨センサ１２６によって降雨が検出されると上記ＧＰＳ電波の誤差分だけ、無線基地局１１１、１１２と移動機１１０の送信出力を増大させる制御を行う送信出力制御信号を出力する。この送信出力制御信号は無線送受信部１２４に入力され、無線共通増幅部１２３で、基地局送信出力を可変する。さらに、送信出力制御信号は、無線基地局１１１、１１２から移動機１１０に対して送信する下り回線の制御チャネルに、移動機送信出力制御信号として移動機１１０に送られる。
【０００５】
移動機１１０で受信された移動機送信出力制御信号は、移動機１１０の無線送受信部１２８で受信され、送信出力制御部１２９に入力される。送信出力制御部１２９は、この入力された送信出力制御信号に応じて、移動機１１０の送信出力を制御する信号を無線送受信部１２８へ送り、移動機送信出力を可変する。
【０００６】
ＧＰＳ電波が受信できなかった場合、降雨センサ１２６が降雨を検出したかどうか判定する。降雨センサ１２６により降雨が検出されると、送信出力値に固定値Ｂを加算する。
【０００７】
移動機１１０ではこの移動機送信出力値を送信出力制御部１２９にて取り出し、無線送受信部１２８に伝達することにより移動機１１０の送信出力が制御される。
【０００８】
【発明が解決しようとする課題】
この従来例においては、ＧＰＳシステムを利用して、ＧＰＳの到着時間差を検出して、その誤差分に応じて降雨の多少を予測し、降雨センサーによって降雨の有無を検出し、その結果、降雨がある場合には、無線基地局及び移動機の送信出力増大させるシステムとなっているので、降雨のある地域にある無線基地局は降雨のない場合よりもサービスエリアの拡大が行われ、通信トラフィックの増加するという問題点がある。
【０００９】
また、ＧＰＳ電波が受信できない場合は、降雨センサーが単に降雨の有無を検出のみであり、降雨量に対応した処理をしていないという問題点がある。
【００１０】
【課題を解決するための手段】
本発明の移動通信システムのその無線基地局は、それぞれの自己の基本サービスエリア内の複数の移動端末の送受信信号を制御する複数の無線基地局と、この複数の前記無線基地局を制御しまた公衆網に接続した交換機に接続する複数の基地局制御装置とを有してなる無線通信システムにおいて、前記無線基地局から予め定められた期間の予め定められた降雨量以上を検出したことの通知を受信した前記基地局制御装置は、前記無線基地局に対して前記基本サービスエリアの範囲を予め定められた縮小サービスエリアの範囲へ縮小すべく指示する指示信号を出力し、この指示信号を受信した前記無線基地局は自己の前記基本サービスリアを前記縮小サービスエリアへ縮小すべく自己の送受信手段の送受信出力レベルを前記縮小サービスエリアに対応する予め定められたレベルに制御する制御手段を移動通信システムが備え、また、この移動通信システムにおいて、前記基地局制御装置へ、前記予め定められた期間の予め定められた降雨量以上を検出したことの通知をする前記無線基地局は、自己の前記基本サービスエリア内に駅を含む公共施設が設置されている地域を有し、且つ集中的な降雨時にトラフィックの増加が予想され、前記無線基地局は、予め定められた期間の降雨量を計量する降雨量計量手段と、この降雨量手段による計量の結果前記降雨量が予め設定された危険降雨量以上になったことを感知すると危険感知信号を出力する感知手段と、前記危険感知信号を受信すると前記基地局制御装置へ前記基本サービスエリアの危険を通報する通報手段と、前記通報の後に前記基地局制御装置からの前記基本サービスエリアから予め設定された縮小サービスエリアへ縮小すべき縮小指示信号を受信すると内臓する受信増幅器及び送信増幅器のそれぞれの増幅度を前記縮小サービスエリアになるように予め定められた増幅度に低下させるべく制御する受信・送信増幅度制御手段とを有し、また、前記感知手段は前記危険感知信号を出力した後に、前記降雨量計量手段による計量の結果前記降雨量が前記危険降雨量以下になったことを予め定められた期間継続していることを感知すると危険を解除したことを示す危険解除感知信号を出力し、前記通報手段は前記危険解除感知信号を受信すると前記基地局制御装置へ危険解除信号を通報し、前記受信・送信増幅器制御手段は前記解除信号の通報後の前記基地局制御装置から前記縮小サービスエリアから前記基本サービスエリアへ復旧させる復旧信号を受信すると前記受信増幅器及び送信増幅器のそれぞれの増幅度を前記基本サービスエリアをカバーするように復旧すべく制御する。
【００１１】
本発明の移動通信システムとその無線基地局は、それぞれの自己の基本サービスエリア内の複数の移動端末の送受信信号を制御する複数の無線基地局と、この複数の前記無線基地局を制御しまた公衆網に接続した交換機に接続する複数の基地局制御装置とを有してなる無線通信システムにおいて、前記無線基地局から予め定められたｎ（ｎ≧１の整数）期間の整数番号順に順次検出してｉ（１≦ｉ≦ｎ）期間目で予め定められたｉ番目降雨量以上を検出したことの通知を受信した前記基地局制御装置は、前記無線基地局に対して前記基本サービスエリアの範囲を前記検出された前記ｉ番目の降雨量に基づく予め定められたｉ番目縮小サービスエリアの範囲へ縮小すべく指示するｉ番目指示信号を出力し、このｉ番目指示信号を受信した前記無線基地局は自己の前記基本サービスエリアを前記ｉ番目縮小サービスエリアへ縮小すべく自己の送受信手段の送受信出力レベルを前記ｉ番目縮小サービスエリアに対応する予め定められたレベルに制御する制御手段を移動通信システムが備え、また、この移動通信システムにおいて、前記基地局制御装置へ、前記予め定められたｎ期間の整数番号順に順次検出しｉ期間目で予め定められたｉ番目降雨量以上を検出したことの通知をする前記無線基地局は、自己の前記基本サービスエリア内に駅を含む公共施設が設置されている地域を有し、且つ集中的な降雨時にトラフィックの増加が予想され、前記無線基地局は、予め定められた前記ｎ期間のそれぞれの期間の降雨量を整数番号順に順次計量する降雨量計量手段と、この降雨量計量手段による前記ｉ番目の期間での計量の結果前記降雨量が予め設定されたｉ番目危険降雨量以上になったことを感知するとｉ番目危険感知信号を出力する感知手段と、前記ｉ番目危険感知信号を受信すると前記基地局制御装置へ前記基本サービスエリアのｉ番目の危険を通報する通報手段と、前記ｉ番目の通報の後に前記基地局制御装置からの前記基本サービスエリアから予め設定されたｉ番目の縮小サービスエリアへ縮小すべきｉ番目縮小指示信号を受信すると内蔵する受信増幅器及び送信増幅器のそれぞれの増幅度を前記ｉ番目縮小サービスエリアになるように予め定められた増幅度に低下させるべく制御する受信・送信増幅器制御手段とを有し、また、前記感知手段は前記ｉ番目危険感知信号を出力した後に、前記降雨量計量手段による計量の結果前記降雨量が前記ｉ番目危険降雨量以下になったことを予め定められた期間継続していることを感知するとその危険を解除したことを示すｉ番目危険解除感知信号を出力し、前記通報手段は前記ｉ番目危険解除感知信号を受信すると前記基地局制御装置へｉ番目危険解除信号を情報し、前記受信・送信増幅器制御手段は前記危険解除の通報後の前記基地局制御装置から前記ｉ番目縮小サービスエリアからｉ−１番目の縮小サービスエリア又は前記基本サービスエリアへ復旧させるｉ番目復旧信号を受信すると前記受信増幅器及び送信増幅器のそれぞれの増幅度を前記ｉ−１番目縮小サービスエリア又は前記基本サービスエリアをカバーするように復旧すべく制御する。
【００１２】
【発明の実施の形態】
次に、本発明について図面を参照して説明する。
【００１３】
図１は本発明の第１の実施の形態の移動通信システムを示すシステム構成図、図２は本第１実施の形態における無線基地局を示すブロック図である。
【００１４】
図１において、本第１の実施の形態の移動通信システムは、複数の移動端末（ＴＳ）１−１，１−ｎと、これらの複数の移動端末（ＴＳ）が
自己のサービスエリア内にある場合に、自己のサービスエリア内の移動端末（ＴＳ）の送受信の中継制御を行う複数の無線基地局（ＮｏｄｅＢ）２−１，２−２，２−３，２−４と、これら複数の無線基地局（ＮｏｄｅＢ）２−１，２−２，２−３，２−４の管理及び無線基地局（ＮｏｄｅＢ）２−１，２−２，２−３，２−４が呼接続している移動端末（ＴＳ）を管理して、有線電話網に接続した交換機４との呼接続の制御を行う基地局制御装置（ＲＮＣ）３−１，３−２と、この基地局制御装置（ＲＮＣ）３−１，３−２に接続し、基地局制御装置（ＲＮＣ）３−１，３−２と有線電話網との呼接続の制御を行う交換機４とを備え、
無線基地局（ＮｏｄｅＢ）２−１，２−２，２−４はそれぞれアンテナ近傍に、予め定められた期間の降雨量を感知する降雨センサー２５を有し、降雨量が予め定められた以上の場合に、自己のサービスエリアの範囲を縮小すべく、送受信の増幅度を下げて送受信増幅器制御手段を有している。
【００１５】
図２において、本第１の実施の形態における基地局（ＮｏｄｅＢ）２は、図１に示す無線基地局（ＮｏｄｅＢ）２−１，２−２，２−３，２−４が総て同じ構成を有するので、その代表を示し、受信用の受信アンテナ（ＲＸ−ＡＮＴ）２１と、送信用の送信アンテナ（ＴＲＸ−ＡＮＴ）２２と、ＲＸ−ＡＮＴ２１からの受信信号を増幅する受信増幅器２３と、受信増幅器２３の状態を監視し、増幅度の増減の制御を行う受信増幅器監視制御機能部２７と、ＴＲＸ−ＡＮＴ２２へ送出する着信信号を増幅する送信増幅器機能部２８と、送信増幅器機能部２８の状態を監視し増幅度の増減の制御を行う監視制御機能部２９と、ＲＸ−ＡＮＴ２１及びＴＲＸ−ＡＮＴ２２の近傍に設置され予め定められた期間の降雨量が計量される降雨量計量タンク２４と、降雨量計量タンク２４の予め定められた期間の予め定められた複数の計量それぞれに対して感知する降雨センサー２５と、降雨センサー２５からの感知信号を監視し、予め定められた期間の予め定められた降雨量以上の感知信号を受信するとアラーム信号を送出するセンサー監視部２６と、ＲＮＣ３−１又は３−２に接続する伝送路にインタフェースする伝送路Ｉ／Ｆ部３５と、相手先が同じサービスエリアからの受信信号は復調することなく送信信号として送出し、有線電話網への信号は復調された信号を送信し、また相手先が有線電話網からの受信信号は変調して送信する無線送受信部３２と、送受信信号の変調，復調を行うベースバンド信号処理部３３と、監視制御機能部２９を介して送信系の機器の状態を監視し、センサー監視部２６からの降雨量によるアラーム信号を検出すると、送信増幅器機能部２８及び受信増幅監視制御機能部２７への増幅度を減じさせる制御信号を送出する外部監視制御部３０と、ＲＸ−ＡＮＴ２１，ＴＲＸ−ＡＮＴ２２及び交換機４へのそれぞれの送受信信号に応じて、外部監視制御部３０，無線送受信部３２，及びベースバンド信号処理部３３を制御する共通制御部３４と、無線送受信部３２の内の信号処理状態が呼接続を監視する呼接続監視装置（ＴＴＲ）３１とを有している。
【００１６】
図３は本第１の実施の形態の移動通信システムにおける無線基地局の降雨時に対するサービスエリアの縮小を示す模式図である。
【００１７】
次に、本第１の実施の形態の移動通信システムの降雨時における無線基地局（ＮｏｄｅＢ）の動作について、図１，図２及び図３を参照して説明する。
【００１８】
駅などの公共施設が集中している場所を基本サービスエリアＡ１  として持つＮｏｄｅＢ２−１に対して、この基本サービスエリアＡ１  の地域に集中的な降雨が続いているものとする。
【００１９】
このとき、ＮｏｄｅＢ２−１のＲＸ−ＡＮＴ２１及びＴＲＸ−ＡＮＴ２２の近傍にある降雨量タンク２４に予め定められた期間の降雨が溜められる。そして、降雨量計量タンク２４に予め設定された雨量の複数の感知点を降雨センサー２５が感知すると、センサー監視部２６へ通知し、センサー監視部２６が降雨センサー２５からサービスの危険度を示す予め設定された降雨量の感知点の感知をしたことを示す危険感知信号Ｓ１  を受信すると、その危険感知信号Ｓ１  を外部監視制御部３０へ通知し、外部監視制御部３０は共通制御部３４へ通知する。
【００２０】
共通制御部３４は伝送路Ｉ／Ｆ部３５を介してＲＮＣ３−１へＮｏｄｅＢ２−１の基本サービスエリアＡ１  にサービスの危険度を超す降雨があることを示す情報をＲＮＣ３−１へ送信する。
【００２１】
ＲＮＣ３−１においてはＮｏｄｅＢ２−１の基本サービスエリアＡ１  に危険度を超す降雨があるということを示す情報があることを記憶手段に記憶すると共に、ＮｏｄｅＢ２−１に対して基本サービスエリアＡ１  を予め定められた縮小エリアＡ１ａに縮小すべきことを示す縮小指示信号を返送する。
【００２２】
ＮｏｄｅＢ２−１はＲＮＣ３−１から縮小エリアＡ１ａへの縮小の縮小指示信号を受信すると、それを外部監視制御部３０へ通知する。外部監視制御部３０は、受信増幅器監視制御機能部２７及び監視制御機能部２９へ縮小指示信号を通知し、受信増幅器監視制御機能部２７は受信増幅部２３の増幅度を予め定められた基準に低下させる。
【００２３】
また、監視制御機能部２９は送信増幅器機能部２８に対して同様に内部にある送信増幅器の増幅度を予め定められた基準に低下させる。この結果、ＮｏｄｅＢ２−１の基本サービスエリアＡ１  は縮小サービスエリアＡ１ａに縮小される。
【００２４】
次に、センサー監視部２６が、降雨センサー２５から危険感知信号Ｓ１  を示す降雨量よりも少ない降雨量であることを示す感知信号Ｓ２  を予め設定された期間受信すると、外部監視制御部３０へ感知信号Ｓ２  を通信する。
【００２５】
共通制御部３４は、外部監視制御部３０から感知信号Ｓ２  を受信すると危険感知信号Ｓ１  を受信した場合と同様にＲＮＣ３−１へ通知し、ＲＮＣ３−１は記憶手段に記憶しているＮｏｄｅＢ２−１が縮小エリアＡ１ａになっていることを元の基本サービスエリアＡ１  になったことを記憶すると共に、Ｎｏｄｅ−Ｂ２−１に対して基本サービスＡ１  に復旧すべき復旧指示信号を返送する。
【００２６】
ＮｏｄｅＢ２−１はＲＮＣ３−１から復旧指示信号を受信すると、縮小指示信号を受信した場合の制御経路と同様に、受信増幅器監視制御機能部２７によって受信増幅器２３に復旧させ、送信増幅器機能２８を元の増幅度に復旧させる。この結果ＮｏｄｅＢ２−１のサービスエリアは基本サービスエリアＡ１  に復旧する。
【００２７】
以上に示したように、本第１の実施の形態においては、▲１▼降雨量計量タンク２４の予め定められた期間の降雨量が予め設定したサービスの危険度を示す量を超えるのを降雨センサー２５が感知すると、▲２▼その旨の情報が当該ＮｏｄｅＢ２−１のカバレッジ範囲を縮小サービスエリアＡ１ａに狭める。（即ち、ＮｏｄｅＢ２−１の送信電力及び受信電力のレベルを下げるべく送信増幅機能部２８及び受信増幅器２３を制御する。）
この結果、図３の破線で示した部分に位置する移動端末からの送信電波を受信（又は、その移動端末への電波の送信）することがなくなり、当該ＮｏｄｅＢ２−１にアクセスする加入端末（又は移動端末）を減少させることができる。当該ＮｏｄｅＢ２−１の基本サービスエリアＡ１から外れてしまった加入端末（又は移動端末）は、輻輳していない他のＮｏｄｅＢにアクセスすることになり、この結果、一時的にトラフィックの増加しようとする当該ＮｏｄｅＢ２−１のサービスエリアでの輻輳率を低下させることが可能となる。
【００２８】
以上の第１の実施の形態においては、降雨センサー２５が降雨量計量タンク２４のサービスエリアの危険度を示す予め定められた期間の予め設定された降雨量の一つの感知点を感知したことを示す一つの危険感知度Ｓ１  を出力することについて説明した。
【００２９】
次に示す第２の実施の形態においては、以上に示した第１の実施の形態と異なり、降雨センサー２５が、降雨量計量タンク２４のサービスエリアに対する複数の危険度を示す予め定められた期間の予め設定された複数の降雨量Ｖ１１，Ｖ１２，・・・Ｖ１ｎ（Ｖ１  ＜Ｖ１１＜Ｖ１２・・・＜Ｖ１ｎ）のそれぞれの感知点を感知したことを示す複数の危険感知度Ｓ１１，Ｓ１２・・・Ｓ１ｎを出力する。
【００３０】
図４は本発明の第２の実施の形態の移動通信システムにおける無線基地局の降雨時に対する基本サービスエリアから三つの縮小サービスエリアへ縮小する場合示す模式図である。
【００３１】
次に、本第２の実施の形態における無線基地局（ＮｏｄｅＢ）２−１の三つの縮小サービスエリアへの縮小する場合の動作について、図１，図２及び図４を参照して説明する。
【００３２】
尚、本第２の実施の形態における移動無線システムは図１に示す構成を同じとする。
【００３３】
尚、また、本第２の実施の形態における無線基地局（ＮｏｄｅＢ）２−１，２−２，２−３，２−４はそれぞれ、図２に示す構成と同じで、降雨量計量タンク２４は、予め定められた期間の予め設定された複数の降雨量Ｖ１１，Ｖ１２，Ｖ１３（Ｖ１１＜Ｖ１２＜Ｖ１３）に対する感知点を有し、これらの降雨量の感知点を降雨センサー２５が感知すると、これらの感知点に対して、それぞれ危険感知信号Ｓ１１，Ｓ１２，Ｓ１３をセンサー監視部２６へ出力する構成になっている。
【００３４】
更に、受信増幅器２３は受信増幅器監視制御機能部２７によって、及び送信増幅器機能部２８は監視制御機能部２９によって、それぞれ外部監視制御部３０の制御の基に、外部監視制御部３０が危険感知信号Ｓ１１，Ｓ１２，Ｓ１３を受信するに応じて予め定められた増幅度に増減することができる構成になっている。
【００３５】
先ず、最初に降雨センサー２５が降雨量計量タンク２４の降雨量Ｖ１１の感知点を感知すると危険感知信号Ｓ１１をセンサー監視部２６へ出力する。
【００３６】
この後の制御動作は、第１の実施の形態におけるセンサー監視部２６が危険感知信号Ｓ１  を受信した場合と同じで、最終的に受信増幅器２３及び送信増幅機能部２８の増幅度が危険感知信号Ｓ１１に対応した増幅度になるべく制御され、その結果、ＮｏｄｅＢ２−１のサービスエリアは、図４に示すように基本サービスエリアＡ１  から縮小サービスエリアＡ１１に縮小される。
【００３７】
以下、降雨量計量タンク２４の予め定められた期間の降雨量Ｖ１１がＶ１２，Ｖ１３と増量するたびに、降雨センサー２５が危険感知信号Ｓ１２，Ｓ１３を出力し、その結果、降雨量Ｖ１１の場合と同様な制御手順によって、ＮｏｄｅＢのサービスエリアは、図４に示すように縮小サービスエリアＡ１１からＡ１２，Ａ１３へと縮小される。
【００３８】
尚、降雨量が少なくなった場合には、第１の実施の形態の場合と同様な復旧制御手順によって縮小サービスＡ１３→Ａ１２→Ａ１１→Ａ１  へと段階的にサービスエリアを復旧していく。
【００３９】
このように、本第２の実施の形態においては、降雨量に応じて段階的にサービスエリアを縮小，復旧していくので、ユーザーに対してきめ細かなサービスを提供することができる。
【００４０】
【発明の効果】
以上説明したように本発明は、それぞれの自己の基本サービスエリア内の複数の移動端末の送受信信号を制御する複数の無線基地局と、この複数の無線基地局を制御しまた公衆網に接続した交換機に接続する複数の基地局制御装置とを有してなる無線通信システムにおいて、無線基地局から予め定められた期間の予め定められた降雨量以上を検出したことの通知を受信した前記基地局制御装置は、無線基地局に対して前記基本サービスエリアの範囲を予め定められた縮小サービスエリアの範囲、縮小すべく指示する指示番号を出力し、この指示信号を受信した無線基地局は自己の基本サービスエリアを前記縮小サービスエリアへ縮小すべく自己の送受信手段の送受信出力レベルを縮小サービスエリアに対応する予め定められたレベルに制御する制御手段を備えることにより、以下に示す効果を得ることができる。
【００４１】
第１の効果は、ＮｏｄｅＢは縮小サービスエリア外の移動端末からの送信電波を受信（又はその移動端末への電波の送信）することがなくなり、当該ＮｏｄｅＢにアクセスする移動端末を減少させることができ、当該ＮｏｄｅＢの基本サービスエリアから外れた移動端末は他のＮｏｄｅＢにアクセスすることとなり、この結果、一時的にトラフィックが増加しようとする当該ＮｏｄｅＢのサービスエリアでの輻輳率を低下させることができる。
【００４２】
第２の効果は、第１の効果の派生的な効果として、より多くの人々が同時に通信できるようになるため、通信事業者は、本件発明を利用しない場合に比べてより多くの通話料金を取ることができる。
【００４３】
第３の効果として、第２の効果とも関連するが、トラフィック増加時にＮｏｄｅＢの送信電力を下げるので、通話料金の増加と相俟って、通信事業者側のコスト・パフォーマンスを増加させることに寄与する。
【図面の簡単な説明】
【図１】本発明の第１の実施の形態の移動通信システムを示すシステム構成図である。
【図２】本第１の実施の形態の移動通信システムにおける無線基地局を示すブロック図である。
【図３】本第１の実施の形態の移動通信システムにおける無線基地局の降雨時に対するサービスエリアの縮小を示す模式図である。
【図４】本発明の第２の実施の形態の移動通信システムにおける無線基地局の降雨時に対する基本サービスエリアから三つの縮小サービスエリアへ縮小する場合を示す模式図である。
【図５】従来の移動通信システムにおける無線基地局の一例を示すブロック図である。
【符号の説明】
１−１，１−ｎ    移動端末（ＴＳ）
２，２−１，２−２，２−３，２−４    無線基地局（ＮｏｄｅＢ）
３−１，３−２    基地局制御装置（ＲＮＣ）
４    交換機
２１    受信アンテナ（ＲＸ−ＡＮＴ）
２２    送信アンテナ（ＴＲＸ−ＡＮＴ）
２３    受信増幅器
２４    降雨量計量タンク
２５    降雨センサー
２６    センサー監視部
２７    受信増幅器監視制御機能部
２８    送信増幅器機能部
２９    監視制御機能部
３０    外部監視制御部
３１    呼接続監視装置（ＴＴＲ）
３２    無線送受信部
３３    ベースバンド信号処理部
３４    共通制御部
３５    伝送路Ｉ／Ｆ部
【図１】
0003582485.tif 000002
【図２】
0003582485.tif 000003
【図３】
0003582485.tif 000004
【図４】
0003582485.tif 000005
【図５】
0003582485.tif 000006